(57)【要約】【課題】  任意の開き位置で固定できるドアストッパー機能付き開き戸を提供する。【解決手段】  開き戸１の下端部にドアストッパー４が備えられ、開閉用の取っ手３が動き可能で、該取っ手３の動きに連動してドアストッパー４を昇降させる伝動機構が組み込まれ、取っ手３を動かすことによりドアストッパー４が下降し、床面６側と摩擦係合して開き位置に保持されるようになされている。開き戸１の上端部にドアストッパー４を備えさせ、天井面側と摩擦係合して開き位置に保持されるようにしてもよいし、これら両方が採用されていてもよい。【選択図】      図１
2005068948.tif 000002
【特許請求の範囲】
【請求項１】
下端部にドアストッパーが備えられ、開閉用の取っ手が動き可能で、該取っ手の動きに連動してドアストッパーを昇降させる伝動機構が組み込まれ、取っ手を動かすことによりドアストッパーが下降し、床面側と摩擦係合して開き位置に保持されるようになされていることを特徴とするドアストッパー機能付き開き戸。
【請求項２】
上端部にドアストッパーが備えられ、開閉用の取っ手が動き可能で、該取っ手の動きに連動してドアストッパーを昇降させる伝動機構が組み込まれ、取っ手を動かすことによりドアストッパーが上昇し、天井面側と摩擦係合して開き位置に保持されるようになされていることを特徴とするドアストッパー機能付き開き戸。
【発明の詳細な説明】
【技術分野】
【０００１】
本発明は、ドアストッパー機能付き開き戸に関する。
【背景技術】
【０００２】
開き戸を開き位置に保持するためのドアストッパー機構は従来より種々提供されているが、ドアストッパーの効く開き位置に制限があり、任意の開き位置で固定できるようになされたドアストッパー機構はこれまでに提供されていない。
【発明の開示】
【発明が解決しようとする課題】
【０００３】
本発明は、このような背景において、任意の開き位置で固定できるドアストッパー機能付き開き戸を提供することを課題とする。
【課題を解決するための手段】
【０００４】
上記の課題は、下端部にドアストッパーが備えられ、開閉用の取っ手が動き可能で、該取っ手の動きに連動してドアストッパーを昇降させる伝動機構が組み込まれ、取っ手を動かすことによりドアストッパーが下降し、床面側と摩擦係合して開き位置に保持されるようになされていることを特徴とするドアストッパー機能付き開き戸によって解決される。
【０００５】
この開き戸では、ドアストッパーが下降して床面側と摩擦係合することにより開き位置に保持されるようになされたものであるので、任意の開き位置においてドアストッパーを効かせて固定することができる。例えば、行き来できるように大きく開いた状態で開き戸を固定することもできるし、換気のためにわずかに開いた状態あるいは半分ほど開いた状態で開き戸を固定することもできる。
【０００６】
しかも、開閉用の取っ手が動き可能で、取っ手の動きに連動してドアストッパーが昇降するようになされているので、取っ手に手を掛けて開き戸を開き、そのまま取っ手を動かしてドアストッパーを下降させれば開き戸を開き位置に固定することができ、また、取っ手に手を掛けて動かし、ドアストッパーを上昇させて固定を解除し、そのまま開き戸を開閉操作することができ、開き戸の開閉操作と開き位置での固定と固定解除をうまく連繋させてドアストッパーの操作を容易に行うことができる。
【０００７】
加えて、ドアストッパーは開き戸に組み込まれているから、開き戸を開口部に設置するだけでドアストッパーを効かせられるようにすることができ、現場での施工を容易に行うことができる。
【０００８】
また、上記の課題は、上端部にドアストッパーが備えられ、開閉用の取っ手が動き可能で、該取っ手の動きに連動してドアストッパーを昇降させる伝動機構が組み込まれ、取っ手を動かすことによりドアストッパーが上昇し、天井面側と摩擦係合して開き位置に保持されるようになされていることを特徴とするドアストッパー機能付き開き戸によっても解決される。上記の開き戸との違いは、開き戸の上端部にドアストッパーが備えられ、ドアストッパーが天井面側と摩擦係合して開き位置に保持されるようになされている点であり、ドアストッパーを床面側と摩擦係合する場合と同様に、開き戸を任意の開き位置で固定することができ、その操作も容易に行うことができる。
【発明の効果】
【０００９】
本発明の開き戸は、以上のとおりのものであるから、任意の開き位置で固定することができる。
【発明を実施するための最良の形態】
【００１０】
次に、本発明の実施最良形態を図面に基づいて説明する。図１（イ）に示す第１実施形態の開き戸１において、２，２は枢軸を形成する丁番、３は取っ手としてレバーハンドル、４はドアストッパーである。
【００１１】
ドアストッパー４は、丁番２，２のある枢軸側とは反対の側の開き戸１の下端部に昇降可能に備えられ、レバーハンドル３は下向きに回すことで閉じ位置での開き戸１の固定を解除できるようになされていると共に、図示するように上向きに回る動きをすることができるようになされていて、この上向きの動きに連動してドアストッパー４を下降させる伝動機構５が開き戸１の内部に組み込まれ、開き戸１を開いた状態で、図２に示すように、レバーハンドル３を上向きに回すことで、ドアストッパー４が下降して床面６に突きつけられた状態となり、ドアストッパー４と床面６との突きつけによる摩擦力で開き戸１が開いた状態に保持固定されるようになされている。
【００１２】
上記の開き戸１は、レバーハンドル３を下向きに回して閉じ位置での固定を解除し、図１（ロ）に仮想線で示すように任意の開き位置に位置させたのち、図２（ロ−１）（ロ−２）に示すように、レバーハンドル３を上向きに回すと、ドアストッパー４が下降し、床面６に突きつけられてその開き位置に固定される。その状態で、レバーハンドル３は上向きに保持されるようになされていてよい。そして、開き戸１を閉じる場合には、レバーハンドル３を上向きから通常の横向き状態となるように回してドアストッパー４を上昇させて床面６から離間させれば、開き戸１を閉じることができる。
【００１３】
このように、上記の開き戸１では、ドアストッパー４が下降して床面６側と摩擦係合することにより開き位置に保持されるようになされているので、図１（ロ）に仮想線で示すような任意の開き位置においてドアストッパー４を効かせて開き戸１を固定することができる。
【００１４】
しかも、レバーハンドル３の動きに連動してドアストッパー４が昇降するようになされているので、開き戸１の開閉操作と開き位置での固定と固定解除をうまく連繋させてドアストッパー４を容易に操ることができる。
【００１５】
加えて、ドアストッパー４は開き戸１に組み込まれているから、開き戸１を開口部に設置するだけでドアストッパー４を効かせられるようにすることができ、現場での施工を容易に行うことができる。
【００１６】
図３（イ）に示す第２実施形態の開き戸１は、ドアストッパー４が、開き戸１の上端側に備えられ、天井面７側と摩擦係合して開き位置に保持されるようになされているものである。その他は、第１実施形態と同様であり、同様の作用効果が奏される。
【００１７】
また、図３（ロ）に示す第３実施形態の開き戸１は、ドアストッパー４が、開き戸１の上端側と下端側との両方に備えられ、天井面７側と床面６側との両方に摩擦係合して開き位置に保持されるようになされているものである。この構造では、開き位置での固定時に開き戸の枢軸部への力学的負担を小さくすることができる。
【００１８】
以上に、本発明の実施形態を示したが、本発明はこれに限られるものではなく、発明思想を逸脱しない範囲で各種の変更が可能である。例えば伝動機構の具体的構造に制限はなく、各種伝動機構が用いられてよい。また、取っ手は、レバーハンドルタイプのほか種々のタイプのものが用いられてよいし、ドアストッパーを連動させるための取っ手の動きも様々なものであってよい。また、取っ手はドアストッパー連動のための動きのみを行うものであってもよい。
【図面の簡単な説明】
【００１９】
【図１】第１実施形態の開き戸を示すもので、図（イ）は一部断面正面図、図（ロ）は開き戸の開き位置のいくつかの例を示す一部断面平面図である。
【図２】図（イ−１）は開閉可能な状態における開き戸の一部断面要部拡大正面図、図（イ−２）は同斜視図、図（ロ−１）は開き位置での固定の状態における開き戸の一部断面要部拡大正面図、図（ロ−２）は同斜視図である。
【図３】図（イ）は第２実施形態の開き戸を示す一部断面正面図、図（ロ）は第３実施形態の開き戸を示す一部断面正面図である。
【符号の説明】
【００２０】
１…開き戸
３…レバーハンドル（取っ手）
４…ドアストッパー
５…伝動機構
６…床面
７…天井面
【図１】
2005068948.tif 000003
【図２】
2005068948.tif 000004
【図３】
2005068948.tif 000005